(57)【特許請求の範囲】
【請求項１】
断面が円形の外筒と、外筒の内側に回転自在に設けた内部材と、外筒の外周に設けた止め具と、ボルトとを備え、外筒は外周に沿って等ピッチで配列した複数の凹凸部と凹凸部に設けた周方向に長いボルト挿通孔部とを備え、内部材はボルトが螺合する雌ねじ部を備え、止め具は、外筒の周方向の一方側で凹凸部に係止する一端側係止部と、外筒の周方向の他方側で凹凸部に係止する他端側係止部と、一端側係止部と他端側係止部との間に設けたボルト貫通孔部とを備え、ボルト貫通孔部から一端側係止部までの寸法とボルト貫通孔部から他端側係止部までの寸法との差が凹凸部のピッチの寸法よりも小さくしてあり、一端側係止部と他端側係止部を入れ替えるように止め具をひっくり返して一端側係止部を他方側で、他端側係止部を一方側で凹凸部に係止可能としたことを特徴とする建材の連結角度調整装置。
【請求項２】
止め具の一端側係止部と他端側係止部とは、凹凸部に係止する面が、凹凸部の被係止面と整合していることを特徴とする請求項１に記載の建材の連結角度調整装置。
【発明の詳細な説明】
【０００１】
【発明の属する技術分野】
本発明は、建材の連結角度調整装置に関する。
【０００２】
【従来の技術】
建材として、例えば、太陽電池パネル等を支持する支柱があるが、太陽電池パネルの発電能力を最大に生かすため、かかる建材は施工現場で、太陽電池パネルの向きを調整する必用があり、角度調整装置により、施工現場で太陽電池パネルの向きを精度良く調整できる要求が高い。従来の角度調整装置として、実開平６−１６７０６号公報には、外筒の内周に凹凸部を形成し、内部材の外周に係止部（凸部）を設け、係止部を凹凸部の凹に係止させることにより、内部材を外筒に対して所定角度回転した位置で固定する技術が開示されている。
【０００３】
【発明が解決しようとする課題】
しかし、上述の公報に開示の技術では、外筒に設けた凹凸部のピッチ単位で回転角度の調整はできるが、凹凸部のピッチよりも細かい角度の調整が困難であり、回転角度の微調整がし難くく、精度の高い調整が困難であるという問題がある。一方、凹凸部のピッチを細かく設定すれば、回転角度の微調整が可能であるが、凹凸部のピッチを細かくしたのでは、回転角度の荒調整がし難いため角度調整に手間がかかる。更に、凹凸部のピッチを細かくすると、係止部が凹凸部に係止し難くなり、位置ずれの原因になるという不都合がある。
【０００４】
そこで、本発明は、回転角度を容易に且つ高い精度で調整でき、更に調整した位置の位置ずれを防止できる建材の連結角度調整装置の提供を目的とする。
【０００５】
【課題を解決するための手段】
請求項１に記載の発明は、断面が円形の外筒と、外筒の内側に回転自在に設けた内部材と、外筒の外周に設けた止め具と、ボルトとを備え、外筒は外周に沿って等ピッチで配列した複数の凹凸部と凹凸部に設けた周方向に長いボルト挿通孔部とを備え、内部材はボルトが螺合する雌ねじ部を備え、止め具は、外筒の周方向の一方側で凹凸部に係止する一端側係止部と、外筒の周方向の他方側で凹凸部に係止する他端側係止部と、一端側係止部と他端側係止部との間に設けたボルト貫通孔部とを備え、ボルト貫通孔部から一端側係止部までの寸法とボルト貫通孔部から他端側係止部までの寸法との差が凹凸部のピッチの寸法よりも小さくしてあり、一端側係止部と他端側係止部を入れ替えるように止め具をひっくり返して一端側係止部を他方側で、他端側係止部を一方側で凹凸部に係止可能としたことを特徴とする。
【０００６】
この請求項１に記載の発明では、外筒に対する内部材の回転角度調整する場合、ボルトを止め具の貫通孔部と外筒のボルト挿通孔部とに挿通し、内部材の雌ねじ部に緩めに螺合する。この状態で、ボルトをボルト挿通孔部の長手方向に沿って移動させ、内部材を外筒に対して所定量回転させて、外筒に対する内部材の角度を荒調整する。次に、ボルトを緩めた状態で、止め具の一端側係止部と他端側係止部とを外筒の凹凸部に係止させたり外したりして凹凸部のピッチに合わせて移動させ、外筒に対する内部材の角度を微調整し、所望の位置で止め具の一端側係止部と他端側係止部とをそれぞれ凹凸部に係止させてボルトを締め付けて、外筒と内部材とを固定する。止め具は、凹凸部のピッチ分だけ移動するので、ピッチ分の調整ができる。一方、凹凸部のピッチよりも細かい角度の調整（微々調整）をする場合には、止め具をひっくり返して他端側係止部と一端側係止部とを入れ替え、一端側係止部を周方向の他方側で、他端側係止部を周方向の一方側で凹凸部に係止させる。これにより、ボルト貫通孔部から一端側係止部までの寸法とボルト貫通孔部から他端側係止部までの寸法との寸法差分だけ内部材を移動でき、この寸法差を凹凸部のピッチよりも小さく設定することにより、凹凸部のピッチよりも細かい微々調整ができる。このように、本発明では、外筒に対する内部材の回転角度を調整する際に、荒調整から、微調整、更には微々調整が可能であり、特に、止め具をひっくり返すだけの簡単な操作で、凹凸部のピッチよりも細かい回転角度の微々調整が容易にできる。また、凹凸部のピッチを微々調整に合わせて細かくする必要がなく、ピッチを十分にとることができるので、係止部が凹凸部に十分に噛合でき、微調整後の位置ずれが生じ難い。しかも、微々調整を可能にするためには、止め具のボルト貫通孔部から一端側係止部と他端側係止部とに至る左右の寸法を異ならせるだけであるから、構成が簡易である。
【０００８】
請求項２に記載の発明は、請求項１に記載の発明において、止め具の一端側係止部と他端側係止部とは、凹凸部に係止する面が、凹凸部の被係止面と整合していることを特徴とする。この請求項２に記載の発明は、請求項１に記載の作用を奏するとともに、一端側係止部と他端側係止部とがそれぞれ凹凸部に整合よく係止するので、止め具のがたつきを防止できる。
【０００９】
【発明の実施の形態】
以下に、添付図面を参照して、本発明の実施の形態を詳細に説明する。図１は本発明の実施の形態にかかる建材の連結角度調整装置Ａを備えた照明灯１の側面図であり、図２は図１に示す建材の連結角度調整装置Ａを抜き出して示す分解斜視図であり、図３は図１に示す建材の連結角度調整装置ＡをＢ−Ｂ線で切断した断面図であり、図４は図３に示す止め具をひっくり返した状態における建材の連結角度調整装置Ａの断面図である。本実施の形態にかかる照明灯１には、支柱３に建材の連結角度調整装置Ａと、太陽発電パネル５と、照明部７と、制御部９とが設けられている。建材の連結角度調整装置Ａは、支柱３の上部に設けられており、後述する外筒１１と、外筒１１の内側に設けられた内部材１３とを備え、内部材１３の上端部１４には湾曲アーム１５が回動可能に取り付けられており、この湾曲アーム１５に太陽発電パネル５が固定されている。湾曲アーム１５を回動させて位置を調節することにより、太陽発電パネル５の上下方向の角度（仰角）の調整が可能である。太陽電池パネル５には、多数の太陽電池セルが配置されており、太陽エネルギを利用して発電し、発電した電気は制御部９に収納されているバッテリに蓄電されるようになっている。図２に示すように、建材の連結角度調整装置Ａは、断面が円形の外筒１１と、外筒１１の内側に回転自在に設けた内部材１３と、外筒１１の外周に設けた止め具１７とを備えている。外筒１１には、その外周の周方向に多数の凸部２１を設けており、全体として凹凸部２３が形成されている。凸部２１は外筒１１の軸線方向に沿った凸条であり、図３に示すように、周方向にピッチｔの間隔で設けられている。本実施の形態では、凹凸部２３は外筒１１の外周に６０度以上の領域（本実施の形態では、約９０度の領域）に亘って、対称位置に合計２ヶ所で形成されている。また、本実施の形態ではピッチｔは、約５度である。外筒１１には、凹凸部２３にボルト挿通孔部２５が形成されている。ボルト挿通孔部２５は、周方向に長い長孔であり、凹凸部２３が形成された領域に亘って形成されている。本実施の形態では、ボルト挿通孔部２５は外筒１１の外周約６０度の長さに亘って形成している。尚、外筒１１は、その四方をカバー部材が覆っており、四方のうち対向する二方を囲むカバー部１９が外筒１１に一体に設けられており、残りの二方のカバー部材２２は外筒１１と別体に設けられているが、図中省略して示している。内部材１３は、円筒管であり、外筒１１の内側に回転自在に設けている。内部材１３には周方向に約６０度の等間隔で合計６ヶ所に、ボルト２７に螺合する雌ねじ部２９が形成されている。雌ねじ部２９を約６０度の間隔で設けることにより、雌ねじ部２９がボルト挿通孔部２５を約６０度移動可能であるから、外筒１１に対する内部材１３の角度調整が、合計３６０度の範囲で可能になる。止め具１７には、ボルト２７の頭を受ける座部３１と座部３１の周方向における一方（図３において周方向の左側）に一端側係止部３３が突設され、周方向における他方（図３において周方向の右側）に他端側係止部３５が突設されており、一端側係止部３３と他端側係止部３５とは、それぞれ外筒１１の凹凸部２３と噛合するようになっている。座部３１には、一端側係止部３３と他端側係止部３５との間に、ボルト貫通孔部３７が形成されており、図３に示すように、ボルト貫通孔部３７の中心Ｇから一端側係止部３３までの寸法Ｅとボルト貫通孔部３７の中心Ｇから他端側係止部３５までの寸法Ｆとは異なる寸法に設定されている。本実施の形態では、寸法Ｅは外筒１１の外周の角度で１７．５度であり、寸法Ｆは１５度である。従って、寸法Ｅと寸法Ｆとの差Ｂ（図４参照）は２．５度であり、寸法差Ｂは凹凸部２３のピッチｔの半分に設定している。また、一端側係止部３３と他端側係止部３５とがそれぞれ凸部２１と接触する係止面３３ａ、３５ａの角度を、異なる角度にしており、一端側係止部３３と他端側係止部３５とが接触する凸部２１の被係止面２１ａ、２１ｂの角度とを一致させて、整合させている。このように一端側係止部３３と他端側係止部３５との各係止面３３ａ、３５ａの角度を変えて、それぞれが接触する凸部２１の被係止面２１ａ、２１ｂに整合させることにより、止め具１７を凹凸部２３に係止したときに、止め具１７ががたつくのを防止している。
【００１０】
次に、本実施の形態にかかる照明灯１の作用を説明する。照明灯１は、昼間は、太陽発電パネル５が太陽光を受けて発電し、発電した電気を制御部９に設けたバッテリに蓄電する。夜間には、バッテリに蓄電した電気を照明部７の照明ランプに供給し、周囲を点灯する。照明灯１の施工時には、施工場所に応じて太陽発電パネル５の位置を調整する。仰角の調整は湾曲アーム１５をスライドさせておこなう。水平方向における回転角度の調整は、建材の連結角度調整装置Ａでおこなう。建材の連結角度調整装置Ａの角度調整は、まず、外筒１１の内側に内部材１３を配置した状態で、外筒１１の外側に止め具１７を配置し、ボルト２７を止め具１７のボルト貫通孔部３７と外筒１１のボルト挿通孔部２５に挿通し、内部材１３の雌ねじ部２９に緩く螺合させて、仮止めする。仮止めした状態で、ボルト２７をボルト挿通孔部２５の長手方向に沿って移動させ、内部材１３を外筒１１に対して所定量回転させて、外筒１１に対する内部材１３の角度を荒調整する。次に、外筒１１に対して内部材１３の回転角度の微調整を行なう。ボルト２７を緩めた状態で、止め具１７の一端側係止部３３と他端側係止部３５とを外筒１１の凹凸部２３に係止させたり外したりして、凹凸部２３のピッチｔ単位で移動させ、外筒１１に対する内部材１３の角度をピッチｔの単位で微調整し、所望の位置で止め具１７の一端側係止部３３と他端側係止部３５とをそれぞれ凹凸部２３に係止させる。即ち、止め具１７は、凹凸部２３のピッチｔの単位で移動できるので、ピッチｔの単位での微調整ができる。本実施の形態では、ピッチｔを約５度にしているので、５度単位で調整が可能である。換言すれば、基準線Ｘに対して、５度、１０度、１５度というように５度の倍数で位置が調節可能である。更に、図４に示すように、凹凸部２３のピッチｔよりも細かい角度の微々調整をする場合には、止め具１７をひっくり返して他端側係止部３５と一端側係止部３３とを入れ替える。これにより、ボルト貫通孔部３７から一端側係止部３３までの寸法Ｅとボルト貫通孔部３７から他端側係止部３５までの寸法Ｆとの寸法差Ｂだけ内部材１３を移動でき、この寸法差Ｂは凹凸部２３のピッチｔの半分であるから、本実施の形態では、図３に示す状態から２．５度だけ基準位置Ｘに近づくように回転する。尚、図４に示す状態において、止め具１７を移動させると、止め具１７は基準線Ｘに対して、２．５度、７．５度、１２．５度というように２．５度から５度づつ加わえた角度で回転する。微々調整が終了したところで、ボルト２７を締め付けて、止め具１７の他端側係止部３５と一端側係止部３３とをそれぞれ凹凸部２３に噛合させて外筒１１に内部材１３を固定する。これにより、太陽発電パネル５の向きを精度良く調整することができ、発電能力を最大に生かすことができる。このように、本実施の形態では、外筒１１に対する内部材１３の回転角度を調整する際に、ボルト２７をボルト挿通孔部２５の長手方向に沿って移動させ、内部材１３を外筒１１に対して荒調整し、次に、ボルトを緩めた状態で、止め具１７の一端側係止部３３と他端側係止部３５とを外筒１１の凹凸部２３に係止させたり外したりして凹凸部２３のピッチｔ単位で移動させて微調整し、更に、止め具１７をひっくり返して一端側係止部３３と他端側係止部３５とを入れ替えて微々調整する。特に、止め具１７をひっくり返すだけの簡単な操作で、凹凸部２３のピッチｔよりも細かい回転角度の微々調整が容易にでき、また、凹凸部２３のピッチｔを細かくすることなくピッチｔよりも細かい微々調整ができるので、一端側係止部３３と他端側係止部３５とを凹凸部２３に十分に噛合でき、固定後の位置ずれが生じ難い。更に、本実施の形態では、施工現場で、外筒１１に対する内部材１３の回転角度の微々調整ができるとともに、外筒１１と内部材１３とを固定するために施工現場での穴あけが不用である。また、ボルト２７を緩めるだけで外筒１１に対する内部材１３の回転角度の再設定が容易にできる。
【００１１】
本発明は、上述した実施の形態に限らず、本発明の趣旨を逸脱しない範囲で種々変形可能である。例えば、凹凸部２３は、外筒の対称な位置に合計２箇所に設けることに限らず、１ヶ所にのみ設けるものであってもよい。雌ねじ部２９の間隔は、約６０度にすること限定されず、また等間隔でなくてもよい。また、内部材１３は中空を有する円管に限らず、中実の円柱形状であってもよい。内部材１３は、太陽電池パネル５を支持するものに限らず、防犯カメラ等であってもよく、内部材１３が支持するものは限定されない。外部材１１と内部材１３とを水平に設けた構成とし、建材の連結角度調整装置Ａは、水平方向の軸を中心にして内部材１３を回転させてその角度を調整するものであってもよい。凹凸部２３は、外筒の周面よりも高い凸部と低い凹部を設けて構成したり、周面よりも低い凹部を間隔をあけて形成して全体として凹凸とするものであってもよい。更に、凹凸部２３のピッチや、ボルト貫通孔部３７から一端側係止部までの寸法Ｅ及びボルト貫通孔部３７から他端側係止部までの寸法Ｆは、上述した実施の形態の値に限定されない。
【００１２】
【発明の効果】
請求項１に記載の発明によれば、外筒に対する内部材の回転角度を調整する際に、ボルトをボルト挿通孔部に沿って移動させておこなう荒調整から、凹凸部のピッチ毎におこなう微調整、更には凹凸部のピッチよりも小さい微々調整が可能であり、内部材の回転角度を精度良くしかも容易に調整できる。特に、他端側係止部と一端側係止部とを入れ替えるように、止め具をひっくり返すだけの簡単な操作で、凹凸部のピッチよりも細かい回転角度の微々調整が容易にできる。また、凹凸部のピッチを細かくすることなく凹凸部のピッチよりも小さい範囲の微々調整ができるので、一端側係止部及び他端側係止部が凹凸部に十分に噛合でき、角度調整後の位置ずれが生じ難い。更に、微々調整のための構成は、止め具のボルト貫通孔部から一端側係止部と他端側係止部までの寸法を異ならせるだけであるから、構成が簡易である。
【００１４】
請求項２に記載の発明は、請求項１に記載の効果を奏するとともに、止め具は、一端側係止部と他端側係止部との係止面と凹凸部の被係止面とが整合しているので、止め具のがたつきを防止できる。
【図面の簡単な説明】
【図１】本発明の実施の形態にかかる建材の連結角度調整装置を用いた照明灯の側面図である。
【図２】図１に示す支柱の角度調整装置部分を抜き出して示す分解斜視図である。
【図３】図１のＢ−Ｂ断面図である。
【図４】図３に示す止め具の左右をひっくり返した状態における断面図である。
【符号の説明】
Ａ  建材の連結角度調整装置
３  支柱
１１  外筒
１３  内部材
１７  止め具
２１ａ、２１ｂ  被係止面
２３  凹凸部
２５  ボルト挿通孔部
２７  ボルト
２９  雌ねじ部
３３  一端側係止部
３３ａ  係止面
３５  他端側係止部
３５ａ  係止面
３７  ボルト貫通孔部
【図１】
0003656492.tif 000002
【図２】
0003656492.tif 000003
【図３】
0003656492.tif 000004
【図４】
0003656492.tif 000005